(57)【特許請求の範囲】
【請求項１】
自己現像処理型のインスタントフイルムを複数枚積層して収納したフイルムパックを用い、インスタントフイルムの画面サイズが異なる複数種類のフイルムパックから１種類を選択的に装填するパック装填室と、このパック装填室に装填されるフイルムパックに対応して焦点距離が切り換えられる露光手段と、前記インスタントフイルムの種類毎に設けられ、使用するインスタントフイルムの種類毎に切り換えて用いられるとともに、露光済みのインスタントフイルムをパック装填室から排出しながらインスタントフイルム内に現像液を展開する展開ローラとを設けたことを特徴とするインスタントフイルム露光装置。
【請求項２】
前記パック装填室は、最も大きなサイズのフイルムパックを基準として形成されるとともに、内部に、前記フイルムパックよりサイズが小さい小フイルムパックを収納するための仕切り部材を設けたことを特徴とする請求項１記載のインスタントフイルム露光装置。
【発明の詳細な説明】
【０００１】
【発明の属する技術分野】
本発明は、１台で画面サイズが異なる複数のインスタントフイルムを選択的に露光できるインスタントフイルム露光装置に関するものである。
【０００２】
【従来の技術】
自己現像処理型のインスタントフイルムに露光してプリント写真を得るインスタントフイルム露光装置としては、インスタントカメラやインスタントプリンタ（デジタルカメラに内蔵）が知られている。自己現像処理型のインスタントフイルムは、感光層及び受像層を層設した感光シートの相対する一方の縁部に現像処理液を封入した現像液ポッド，他方の縁部に余剰現像処理液を捕捉して硬化させるトラップ部を設けたもので、最後まで１枚のシートとして取り扱うことができるものである。
【０００３】
インスタントフイルムは、例えば１０枚がプラスチック製のフイルムパックの中に積層された状態で供給される。インスタントフイルムは、露光された直後、周知の掻き出しクローによってフイルムパックのスリット状開口から押し出される。スリット状開口の外には、展開ローラが配置されており、フイルムパックから押し出されたインスタントフイルムが、展開ローラにくわえ込まれてインスタントフイルム露光装置の排出口に向かって搬送される。
【０００４】
インスタントフイルムが展開ローラにくわえ込まれると、先端部に内包されている現像液ポッドが展開ローラによって押しつぶされ、現像液が感光シート内に展開される。排出口からインスタントフイルム露光装置の外に排出されたインスタントフイルムの片面には、約１分程度（気温によって異なる）の現像時間が経過した後、画像が現出する。
【０００５】
【発明が解決しようとする課題】
上述したようなインスタントフイルムは、画面サイズによって現在２種類の異なる製品が本出願人から市販されている。プリント写真を常に携帯するとか、他人にプレゼントする目的では、小さい画面サイズ（例えば６２×４６ｍｍ）の方が便利であるが、工事現場で撮影される証拠写真等では、画像がより判別しやすい大きい画面サイズ（６９×９１ｍｍ）の方が好ましい。したがって、最近では、１台で両方の画面サイズのインスタントフイルムを用いることができる装置が望まれている。
【０００６】
本発明は、上記問題点を解決するためになされたもので、１台で画面サイズが異なる複数のインスタントフイルムを選択的に露光できるインスタントフイルム露光装置を提供することを目的とする。
【０００７】
【課題を解決するための手段】
上記問題点を解決するために、本発明のインスタントフイルム露光装置は、自己現像処理型のインスタントフイルムを複数枚積層して収納したフイルムパックを用い、インスタントフイルムの画面サイズが異なる複数種類のフイルムパックから１種類を選択的に装填するパック装填室と、このパック装填室に装填されるフイルムパックに対応して焦点距離が切り換えられる露光手段と、前記インスタントフイルムの種類毎に設けられ、使用するインスタントフイルムの種類毎に切り換えて用いられるとともに、露光済みのインスタントフイルムをパック装填室から排出しながらインスタントフイルム内に現像液を展開する展開ローラとを設けたものである。また、前記パック装填室は、最も大きなサイズのフイルムパックを基準として形成されるとともに、内部に、前記フイルムパックよりサイズが小さい小フイルムパックを収納するための仕切り部材を設けたものである。
【０００８】
【発明の実施の形態】
本発明の第１実施形態の外観を示す図１において、インスタントカメラ１０の前面中央部には、焦点距離が異なる２つの撮影レンズ１２，１３が組み込まれたレンズ鏡筒１５が設けられている。また、前面上部には、右手グリップ１６側から側方に順番に、シャッタボタン１８，測光窓１９，測距窓２１，２２，ファインダ対物窓２３，ストロボ発光部２４が並んで配列されている。また、インスタントカメラ１０の上部には、露光済みの大小のインスタントフイルム２５，２６をそれぞれ排出するスリット状の排出口２８が形成されている。
【０００９】
インスタントフイルム２５，２６は、それぞれ矩形上をした自己現像処理型のモノシートタイプであり、感光層及び受像層を層設した感光シートの相対する一方の縁部に現像液を封入した現像液ポッド，他方の縁部に余剰現像液を捕捉して硬化させるトラップ部を設けたものである。なお、インスタントフイルム２５，２６の先端部の膨らんだ部分２５ａ，２６ａの内部に現像液ポッドが収納されている。
【００１０】
インスタントフイルム２５は、フイルムサイズが９７×１０２ｍｍ，画面サイズが６８×９１ｍｍである。また、インスタントフイルム２６は、フイルムサイズが８６×５４ｍｍ，画面サイズが６２×４６ｍｍである。すなわち、インスタントフイルム２５は、インスタントフイルム２６の約倍の大きさであり、一辺のサイズがほぼ同じである。なお、前記撮影レンズ１２，１３の各焦点距離は、インスタントフイルム２５，２６の各画面サイズに対応している。
【００１１】
インスタントフイルム２５，２６は、図２に示すように、大小のフイルムパック３１，３２のケース３３，３４の中に、それぞれ例えば１０枚が積層されて供給される。なお、ケース３３，３４のサイズ関係は、上述したインスタントフイルム２５，２６のサイズ関係と同様であり、厚みはケース３４の方がケース３３より薄くなっている。
【００１２】
ケース３３，３４の前面には、遮光板で遮光された周知の露光用開口（図示せず）が形成され、ケース３３，３４の背面には長孔３３ａ，３３ｂ，３４ａ，３４ｂが形成されている。この長孔３３ａ，３３ｂ，３４ａ，３４ｂは、ケース３３，３４の内側に貼着された弾性を有する薄い遮光シート３５，３６で遮光されている。
【００１３】
また、ケース３３，３４の上部には、前記遮光板及び露光済みのインスタントフイルム２５，２６を排出するスリット状の排出口３３ｃ，３４ｃが形成されている。各排出口３３ｃ，３４ｃは前記遮光板によって押し破られる遮光フイルム３７，３８によって遮光されている。
【００１４】
インスタントカメラ１０の背面側には、フイルムパック３１，３２を装填するための大パック装填室４０が形成されている。この大パック装填室４０は、大きい方のフイルムパック３１を収納するサイズに形成されているが、上下に設けられた小さい仕切り板４２，４３により左右に仕切られており、仕切り板４２，４３より左側の小パック装填室４１には、小さい方のフイルムパック３２が収納される。仕切り板４２，４３は、突出方向にバネ付勢されており、フイルムパック３１を大パック装填室４０を挿入した際には、フイルムパック３１のケース３３に押されて引っ込み、大パック装填室４０内から退避される。
【００１５】
また、大小パック装填室４０，４１には、周知の掻き出しクロー４５，４６がそれぞれ設けられている。掻き出しクロー４５，４６は、図示しないモータによって駆動され、フイルムパック３１，３２の最上層にある撮影済みのインスタントフイルム２５，２６のみの縁に係合して、フイルムパック３１，３２の排出口３３ｃ，３４ｃから押し出す。
【００１６】
また、大小パック装填室４０，４１の奥には、露光用開口４７，４８が形成され、それぞれシャッタ羽根４９，５０によって閉じられている。なお、露光用開口４７，４８の奥には、撮影レンズ１２，１３が配置されている。また、大パック装填室４０脇のインスタントカメラ１０の背面には、ファインダ接眼窓５２が配置されている。
【００１７】
大パック装填室４０を開閉する裏蓋５５の内面には、フイルムパック３１，３２の長孔３３ａ，３３ｂ，３４ａ，３４ｂに入り込んで遮光シート３５，３６を介して内部のインスタントフイルム２５，２６を露光用開口側に押圧する押圧部材５６〜５９が設けられている。押圧部材５６は、基部５６ａと押圧部５６ｂとからなり、押圧部５６ｂは基部５６ａに仕込まれたバネによって基部５６ａから突出する方向に付勢されている。他の押圧部材５７〜５９も同じ構造であるから、説明及び図面の符号を省略する。
【００１８】
なお、押圧部材５６，５７は、フイルムパック３２の長孔３４ａ，３４ｂにそれぞれ挿入される。また、押圧部材５６，５８は、両方がフイルムパック３１の長孔３３ａに挿入され、押圧部材５７，５９は、両方がフイルムパック３１の長孔３３ｂに挿入される。
【００１９】
大パック装填室４０と排出口２８との間には、図示しないモータによって駆動され、露光済みのインスタントフイルム２５，２６を排出口２８から排出しながらインスタントフイルム２５，２６の内部に現像液を展開する展開ローラ６１，６２が設けられている。この展開ローラ６１，６２は、図３に示すように、それぞれローラ６１ａ，６１ｂ，６２ａ，６２ｂからなる。また、展開ローラ６１，６２は、インスタントフイルム２５，２６に対応して長さが異なっている。
【００２０】
図４に示すように、現像液ポッドの収納部分２５ａに直接に接触されるローラ６１ａは、中央部がわずかに膨らんだ樽型をしている。また同様に、現像液ポッドの収納部分２６ａに直接に接触されるローラ６２ａは、中央部がわずかに膨らんだ樽型をしている。これは、現像液を均一に展開するためである。
【００２１】
ローラ６１ｂ，６２ｂは、図３及び図５に示すように、連結板６４の両端部に軸支されている。連結板６４は、中間部に設けられた軸６５を中心として回動自在になっており、バネ部材６６によって時計方向に付勢されている。連結板６４の外側には、ローラ６１ｂを軸支するルーバ状のアーム部材６７が設けられている。このアーム部材６７の中央部には、仕切り板４２が当接している。
【００２２】
大パック装填室４０にフイルムパック３１が装填された際には、図５（Ａ）に示すように、仕切り板４２がフイルムパック３１のケース３３に押され、バネ部材６６の付勢に抗してアーム部材６７が仕切り板４２に押されて、ローラ６１ｂがローラ６１ａに押しつけられる。また、フイルムパックの装填が行われていない状態及び小パック装填室４１にフイルムパック３２が装填された際には、（Ｂ）に示すように、バネ部材６６の付勢によりローラ６２ｂがローラ６２ａに押しつけられる。また、アーム部材６７の移動により図示しないスイッチがオン／オフされ、開閉動作するシャッタ羽根４９，５０が選択される。
【００２３】
このように構成されたインスタントカメラ１０を使用するには、まず電源スイッチ（図示せず）をオンにし、新しいフイルムパック３１，３２のいずれかを装填する。大きいフイルムパック３１を装填する場合には、大パック装填室４０に装填する。
【００２４】
フイルムパック３１を大パック装填室４０に挿入して裏蓋５５を閉じると、仕切り板４２，４３がケース３３に押されて引っ込むから、図５（Ａ）に示すように、アーム部材６７を介してローラ６１ｂがローラ６１ａに押しつけられる。また、掻き出しクロー４６もケース３３に押されて引っ込む。また、押圧部材５６，５８がフイルムパック３１の長孔３３ａに挿入されるとともに、押圧部材５７，５９がフイルムパック３１の長孔３３ｂに挿入され、遮光シート３５を介してインスタントフイルム２５が露光用開口側へ付勢される。
【００２５】
フイルムパック３１の装填直後にシャッタボタン１８を押圧すると、掻き出しクロー４５がフイルムパック３１の遮光板を押し上げる。フイルムパック３１の遮光板は、遮光フイルム３７を押し破って排出口３３ｃから押し出され、展開ローラ６１ａ，６１ｂにニップされて排出口２８からインスタントカメラ１０の外に排出される。これにより、１枚目のインスタントフイルム２５がケース３３の露光用開口にセットされ、撮影準備が完了する。
【００２６】
次に、ファインダ接眼窓５２を覗いて被写体のフレーミングを行い、シャッタボタン１８を押圧操作する。これにより、被写体の測光，測距が行われた後、測距結果に基づいてオートフォーカス機構が作動して撮影レンズ１２のピント調節が行われた後、測光結果に基づいた露光制御でシャッタ装置が作動してシャッタ羽根４９が開閉され、インスタントフイルム２５に露光が行われる。この時、他方のシャッタ羽根５０は作動しない。なお、被写体が暗い場合には、制御回路がオートストロボを作動させ、ストロボ発光部２４から被写体に向けてストロボ光が照射される。
【００２７】
インスタントフイルム２５に露光が行われた直後に、掻き出しクロー４５が上昇し、インスタントフイルム２５を押し上げる。排出口３３ｃから送り出されたインスタントフイルム２５は、展開ローラ６１によってニップされ、排出口２８に向かって搬送される。この間に、収納部分２５ａに内包された現像液ポッドが裂開され、現像液ポッドから流出した現像液がインスタントフイルム２５の内部に拡布される。排出口２８から外部に排出されたインスタントフイルム２５の片面には、しばらくすると撮影した画像が現出する。
【００２８】
インスタントフイルム２５より小さい画面サイズのインスタントフイルム２６を用いて撮影したい場合は、フイルムパック３１を装填せずに、仕切り板４２，４３で仕切られた小パック装填室４１にフイルムパック３２を挿入してから、裏蓋５５を閉じる。押圧部材５６，５７がフイルムパック３１の長孔３４ａ，３４ｂに差し込まれ、遮光シート３６を介してインスタントフイルム２６が露光用開口側へ付勢される。
【００２９】
仕切り板４２，４３は引っ込まないから、バネ部材６６の付勢によりローラ６２ｂがローラ６２ａに圧接されたままの状態にある。フイルムパック３２の装填直後にシャッタボタン１８を押圧すると、掻き出しクロー４６がフイルムパック３２の遮光板を押し上げ、展開ローラ６２ａ，６２ｂが排出口２８からインスタントカメラ１０の外に排出する。これにより、１枚目のインスタントフイルム２６がケース３４の露光用開口にセットされ、撮影準備が完了する。
【００３０】
次に、シャッタボタン１８を押圧操作すると、オートフォーカス機構により撮影レンズ１３のピント調節が行われた後、被写体輝度に応じたシャッタ速度でシャッタ羽根５０が開閉され、インスタントフイルム２６に露光が行われる。この時、他方のシャッタ羽根４９は作動しない。この直後に、掻き出しクロー４６がインスタントフイルム２６を排出口３４ｃから送り出す。
【００３１】
インスタントフイルム２６は、展開ローラ６２によってニップされて排出口２８に向かって搬送される。この間に、収納部分２６ａに内包された現像液ポッドが裂開され、現像液がインスタントフイルム２６の内部に拡布される。排出口２８から外部に排出されたインスタントフイルム２６の片面にしばらくすると撮影した画像が現出する。
【００３２】
次に、第２実施形態を示す図６において、インスタントカメラ７０は、前記フイルムパック３１を収納する大パック装填室７１の中央部に段差７２をつけて、露光用開口７３寄りの位置に、前記フイルムパック３２を収納する小パック装填室７４を設けてある。また、前記パック装填室７１，７４内には、フイルムパック３１，３２を検出するスイッチ７５，７６が設けられ、また周知の掻き出しクロー７７，７８が設けられている。また、インスタントカメラ７０の上部には、前記インスタントフイルム２５，２６をそれぞれ排出する長さが異なる２つのスリット状の排出口７９，８０が形成されている。
【００３３】
パック装填室７１，７４を開閉する裏蓋８１の内壁面には、中央部の縦方向に並列して大きな押圧部材８３，８４が配置され、押圧部材８３，８４をそれぞれ挟んで左右に小さい押圧部材８５〜８８が配置されている。押圧部材８３，８４がフイルムパック３２用であり、長孔３４ａ，３４ｂに挿入される。また、押圧部材８３〜８８が全体でフイルムパック３１用であり、横一列に並んだ押圧部材８３，８５，８６がフイルムパック３１の長孔３３ａに挿入され、押圧部材８４，８７，８８が長孔３３ｂに挿入される。
【００３４】
図７に示すように、インスタントカメラ７０には、マスターレンズ９１とコンバージョンレンズ９２が組み込まれており、画面サイズが小さいインスタントフイルム２６の撮影時には、スイッチ７６がフイルムパック３２の装填を検知してマスターレンズ９１のみが使用され、大きいインスタントフイルム２５の撮影時には、スイッチ７５がフイルムパック３１の装填を検知してコンバージョンレンズ９２がマスターレンズ９１の後方に挿入され、マスターレンズ９１にコンバージョンレンズ９２が組み合わされて使用される。
【００３５】
図８に示すように、パック装填室７１，７４の奥には、インスタントフイルム２５，２６を排出する展開ローラ９４，９５が設けられている。展開ローラ９４は同じ長さのローラ９６，９７からなり、展開ローラ９５はローラ９７とローラ９７より短いローラ９８とからなる。すなわち、中間のローラ９７が展開ローラ９４，９５の両方に兼用されている。また、図９に示すように、現像液を均一に展開するために、両側のローラ９６，９８は中央部がわずかに膨らんだ樽型をしており、兼用する中間のローラ９７は真っ直ぐな円柱形状をしている。
【００３６】
このように構成されたインスタントカメラ７０を使用するには、パック装填室７１，７４のいずれか一方にフイルム装填を行う。例えば大きい画面サイズのインスタントフイルム２５を用いて撮影したい場合には、フイルムパック３１を大パック装填室７１に挿入してから裏蓋８１を閉じる。これにより、フイルムパック３１のケース３３によりスイッチ７５が押されてフイルムパック３１の装填が検知され、コンバージョンレンズ９２がマスターレンズ９１の後方に挿入される。また、フイルムパック３１の装填検知により、シャッタボタン１８の押圧操作後に作動される掻き出しクロー，展開ローラが、掻き出しクロー７７，展開ローラ９４に設定される。
【００３７】
また、押圧部材８３，８５，８６がフイルムパック３１の長孔３３ａに、また押圧部材８４，８７，８８が長孔３３ｂに入り込み、遮光シート３５を押圧して、内部に積層されたインスタントフイルム２５を露光用開口側へ押しつける。最初のシャッタボタン１８の押圧でフイルムパック３１の遮光板が排出口７９から排出され、撮影準備が完了する。
【００３８】
次に、シャッタボタン１８を押圧すると、マスターレンズ９１に組み込まれたシャッタ羽根が作動してマスターレンズ９１及びコンバージョンレンズ９２を通った被写体光がフイルムパック３１の露光用開口に露呈している最上層のインスタントフイルム２５に結像される。この直後に、掻き出しクロー７７が上昇して露光済みのインスタントフイルム２５が排出口３３ｃから送り出される。
【００３９】
掻き出しクロー７７の作動開始とほぼ同時に展開ローラ９４も作動を開始する。すなわち、ローラ９７が図８の図面において反時計方向に回転駆動される。これにより、排出口３３ｃから送り出されたインスタントフイルム２５がローラ９６，９７にニップされて排出口７９からインスタントカメラ７０の外に排出される。
【００４０】
また、フイルムパック３１ではなく、フイルムパック３２を装填した場合には、スイッチ７６のオンにより、コンバージョンレンズ９２のマスターレンズ９１後方からの退避，掻き出しクロー７８及び展開ローラ９５の選択が行われる。なお、展開ローラ９５が作動する際には、兼用されるローラ９７が図８の図面において時計方向に回転駆動される。
【００４１】
次に、第３実施形態を示す図１０において、インスタントカメラ１００は、画面サイズが大きいインスタントフイルム２５の排出口１０２をボディ１０１の側面に配置し、また、画面サイズが小さいインスタントフイルム２６の排出口１０３をボディ１０１の上面に配置してある。
【００４２】
フイルムパック３１を装填する大パック装填室１０５の底面には、Ｌ字型をした一対の仕切り板１０６，１０７が設けられ、上部の凹部１０８と協働してフイルムパック３２を装填する小パック装填室１０９が構成されている。前記仕切り板１０６，１０７は、フイルムパック３１を装填した際に引っ込み、仕切り板１０６，１０７に連動してオン／オフされるスイッチによりフイルムパック３１の装填が検出される。
【００４３】
大パック装填室１０５には、水平方向に移動される掻き出しクロー１１０が設けられ、また、小パック装填室１０９には、垂直方向に移動される掻き出しクロー１１１が設けられている。パック装填室１０５，１０９の奥には、インスタントフイルム２５，２６を露光する大小の露光用開口１１２，１１３が縦方向に並んでに形成され、それぞれシャッタ羽根１１４，１１５によって閉じられている。露光用開口１１２，１１３の奥には、撮影レンズ１１６，１１７（図１１参照）が配置されている。
【００４４】
裏蓋１１８の内壁面には、４個の押圧部材１２１〜１２４が取り付けられている。これら押圧部材１２１〜１２４は円柱状をしており、フイルムパック３１，３２に対して兼用される。すなわち、フイルムパック３１が装填されたときには、押圧部材１２１，１２２がケース３３の長孔３３ａに、また押圧部材１２３，１２４が長孔３３ｂにそれぞれ入り込む。また、フイルムパック３２が装填されたときには、押圧部材１２１，１２３がケース３４の長孔３４ａに、また押圧部材１２２，１２４が長孔３４ｂにそれぞれ入り込む。
【００４５】
図１１に示すように、排出口１０２，１０３の奥には、それぞれ展開ローラ１２７，１２８が配置されている。展開ローラ１２７はローラ１２７ａ，１２７ｂからなり、展開ローラ１２８はローラ１２８ａ，１２８ｂからなる。ローラ１２７ａ，１２８ａは、中央部がわずかに膨らんだ樽型をしており、ローラ１２７ｂ，１２８ｂは、真っ直ぐな円柱形状をしている。また、前記撮影レンズ１１５，１１６は、それぞれインスタントフイルム２５，２６の画面サイズに対応した焦点距離を有する。また、前記撮影レンズ１１５，１１６は、１個のレンズ鏡筒１３０の上下に並列配置され、ユニット化されている。
【００４６】
フイルムパック３１をパック装填室１０５に装填した時には、仕切り板１０６，１０７の引っ込みによってフイルムパック３１の装填が検知され、シャッタボタン１８の押圧操作に往動してにはシャッタ羽根１１４の開閉，掻き出しクロー１１０及び展開ローラ１２７の駆動が行われる。また、フイルムパック３２をパック装填室１０９に装填する時には、仕切り板１０６，１０７の内側にフイルムパック３２が挿入され、仕切り板１０６，１０７は突出したままになる。これにより、シャッタボタン１８が押圧操作されると、シャッタ羽根１１５の開閉，掻き出しクロー１１１及び展開ローラ１２８の駆動が行われる。
【００４７】
以上説明した実施形態は、いずれもインスタントカメラであったが、本発明はこれに限定されず、いわゆる光プリンタにも適用でき、１台のプリンタで画面サイズが異なる二種類のインスタントフイルムをプリントすることができる。なお、光プリンタは、例えば蛍光表示管を用いたライン状の露光ヘッドがインスタントフイルムの感光面の上方を移動し、インスタントフイルムに赤色、緑色、青色の三色面順次露光を与えることによりフルカラー画像の印刷を行う。
【００４８】
また、上記実施形態は、いずれも画面サイズが異なる二種類のインスタントフイルムを選択的に露光したが、本発明はこれに限定されず、例えば画面サイズが異なる３種類のインスタントフイルムを選択的に露光することもできる。この場合には、例えば第１実施形態において、３種類目のインスタントフイルムのフイルムパックを大パック装填室の中央部に配置し、これに対応した掻き出しクローや押圧部材を設けるとともに、３種類目のフイルムパックを検出するセンサ等の検出手段を設け、展開ローラは長い展開ローラ６１を兼用する。
【００４９】
【発明の効果】
以上詳細に説明したように、本発明のインスタントフイルム露光装置によれば、画面サイズが異なる複数種類のフイルムパックから１種類を選択的に装填するパック装填室，フイルムパック毎に焦点距離が切り換えられる露光手段，露光済みのインスタントフイルムを排出しながら現像液を展開する展開ローラから構成したので、１台で画面サイズが異なる複数のインスタントフイルムを選択的に露光できる。また、展開ローラをインスタントフイルムの種類毎に設けたので、これらを切り換えることにより、インスタントフイルムの種類毎に最適な展開を行うことができる。また、パック装填室内に小フイルムパックを収納するための仕切り部材を設けたので、簡単な構成で少なくとも二種類のフイルムパックを選択的に装填できる。
【図面の簡単な説明】
【図１】第１実施形態であるインスタントカメラの外観を示す斜視図である。
【図２】第１実施形態のパック装填室周りと２種類のフイルムパックを示す説明図である。
【図３】第１実施形態の展開ローラの構成を示す説明図である。
【図４】図３に示す展開ローラの構成を上方から示す平面図である。
【図５】図３に示す展開ローラの切換機構の構成を側方から示す平面図である。
【図６】第２実施形態のパック装填室周りの構成を示す説明図である。
【図７】第２実施形態に係るマスターレンズとコンバージョンレンズを示す説明図である。
【図８】第２実施形態の展開ローラの構成を示す説明図である。
【図９】図８に示す展開ローラを上方から示す平面図である。
【図１０】第３実施形態のパック装填室周りの構成を示す説明図である。
【図１１】第３実施形態の展開ローラの構成を示す説明図である。
【符号の説明】
１０，７０，１００  インスタントカメラ
１２，１３，１１６，１１７  撮影レンズ
２５，２６  インスタントフイルム
２８，７９，８０，１０２，１０３  排出口
３１，３２  フイルムパック
４０，４１，７１，７４，１０５，１０９  パック装填室
４２，４３，１０６，１０７  仕切り板
５６〜５９，８３〜８８，１２１〜１２４  押圧部材
６１，６２，９４，９５，１２７，１２８  展開ローラ
９１  マスターレンズ
９２  コンバージョンレンズ
【図１】
0003827217.tif 000002
【図２】
0003827217.tif 000003
【図３】
0003827217.tif 000004
【図４】
0003827217.tif 000005
【図５】
0003827217.tif 000006
【図６】
0003827217.tif 000007
【図７】
0003827217.tif 000008
【図８】
0003827217.tif 000009
【図９】
0003827217.tif 000010
【図１０】
0003827217.tif 000011
【図１１】
0003827217.tif 000012